(57)【要約】【課題】  室温が低くても温風吹出□の開閉を行うシャッタがスムーズに動作する温風暖房機を提供する。【解決手段】    温風吹出口１を有する本体２と、気化させた燃料を燃焼するバーナ１０と、該バーナ１０の燃焼により発生した熱を温風吹出口１から吹き出させる送風ファン１５と、温風吹出口１を開閉するシャッタ５と、該シャッタ５を開閉するシャッタモータ６とを備えた温風暖房機に於いて、運転開始時に室内が所定温度以下の時、点火動作が開始される前に事前にシャッタ５の開閉動作を行うので、室温が低くてシャッタモータ６の起動特性が低下していても、点火動作が開始された時にスムーズにシャッタ５が閉塞状態から開放状態となり、低温によるシャッタモータ６の起動特性の低下が原因のシャッタエラーの発生を防止できるものである。【選択図】  図４
2014081142.tif 000002
【特許請求の範囲】
【請求項１】
温風吹出口を有する本体と、気化させた燃料を燃焼するバーナと、該バーナの燃焼により発生した熱を温風吹出口から吹き出させる送風ファンと、前記温風吹出口を開閉するシャッタと、該シャッタを開閉するシャッタモータと、暖房運転を制御する制御部とを備えた温風暖房機に於いて、前記制御部は、運転開始時に室内が所定温度以下の時、点火動作が開始される前に事前にシャッタの開閉動作を行うことを特徴とする温風暖房機。
【請求項２】
前記制御部は、運転開始時に室内が所定温度以下の時、その室内温度に応じて事前に行うシャッタの開閉動作の開閉動作回数を設定することを特徴とする請求項１記載の温風暖房機。
【請求項３】
前記制御部は、事前に行うシャッタの開閉動作の動作時間を計時し、その動作時間が所定時間を越えたシャッタの開閉動作回数を記憶し、その記憶した回数が所定回数以上になったらシャッタエラーと判断して運転を停止することを特徴とする請求項１及び２記載の温風暖房機。
【発明の詳細な説明】
【技術分野】
【０００１】
この発明は、温風を吹き出して室内を暖房する温風暖房機に関するものである。
【背景技術】
【０００２】
従来よりこの種のものでは、例えば図５に示すように、１は温風吹出口で、本体２の前面パネル３に設けたグリル４により形成され、前面パネル３とグリル４の間で昇降するようにシャッタ５が設けられている。
６はシャッタ５を昇降させるシャッタモータで、そのシャッタモータ６のモータ軸にクランク７の一端が取り付けられ、該クランク７の他端にはシャッタ５の上部に設けた横長穴に係合するローラ８が取り付けられている。
【０００３】
前記シャッタ５は両側の昇降ガイド９に沿って昇降し、シャッタ５の開状態（上限位置）と閉状態（下限位置）はセンサ（図示せず）により検出される。
１０はバーナで、燃焼用ファン１１により吸い込まれる燃焼用空気と電磁ポンプ（図示せず）により供給される燃料とを予熱された気化器１２内で混合してガス化し燃焼させるもので、バーナ１０の上部は燃焼筒１３で覆われているものである。
【０００４】
前記燃焼ガスは燃焼筒１３の上部開口１４より上方に流れ、送風ファン１５によりバーナ１０の燃焼によって発生した熱を送風と共に温風として温風吹出口１より吹き出させるものである。
１６は操作部１７に設けられ暖房運転のオン・オフを行う運転スイッチ、１８は暖房運転の制御を行う制御部１９を備えた制御基板で、前記制御部１９は、室温検知手段（図示せず）が検知する室温が設定温度になるように暖房運転の制御を行うものである。
【０００５】
そして運転スイッチ１６がＯＮ操作されて運転が開始されると、送風ファン１５を動作させるとともにシャッタ５により温風吹出口１を閉塞させ、点火後に、シャッタ５の閉塞を解除して温風吹出口１を開放させ、また運転スイッチ１６がＯＯＦ操作されて運転が停止されると、送風ファン１５の動作を継続させるとともにシャッタ５により温風吹出口１を閉塞させ、消火後に所定時間の間、シャッタ５の閉塞を解除して温風吹出口１を開放させてから、所定時間経過後に送風ファン１５の動作を停止させる。（例えば、特許文献１参照。）
【先行技術文献】
【特許文献】
【０００６】
【特許文献１】特開２０００−２８３５６１号公報
【発明の概要】
【発明が解決しようとする課題】
【０００７】
ところでこの従来のものでは、運転スイッチ１６がＯＮ操作されてバーナ１０の気化器１２に設けられたヒータ（図示せず）に通電を開始して予熱し、気化器１２の温度が点火可能な所定温度まで上昇したら、制御部１９がシャッタモータ６に通電してシャッタ５の開放動作を行い、電磁ポンプを駆動して気化器１２に燃料を供給すると共に燃焼用ファン１１を駆動して気化器１２に燃焼用空気を供給し、気化器１２内で混合してガス化した予混合気を点火手段（図示せず）にて点火して運転を開始していたが、室温が低い場合、シャッタモータ６の起動特性が低下して、制御部１９がシャッタモータ６に通電してもすぐにシャッタモータ６が動作せず、制御部１９がシャッタモータ６に通電してから所定時間経過してもシャッタ５が所定位置まで開ききらず、制御部１９がシャッタの動作エラーと判断して運転を停止することがあった。
【課題を解決するための手段】
【０００８】
上記課題を解決するために、本発明の請求項１では、温風吹出口を有する本体と、気化させた燃料を燃焼するバーナと、該バーナの燃焼により発生した熱を温風吹出口から吹き出させる送風ファンと、前記温風吹出口を開閉するシャッタと、該シャッタを開閉するシャッタモータと、暖房運転を制御する制御部とを備えた温風暖房機に於いて、前記制御部は、運転開始時に室内が所定温度以下の時、点火動作が開始される前に事前にシャッタの開閉動作を行うものである。
【０００９】
また、請求項２では、前記制御部は、運転開始時に室内が所定温度以下の時、その室内温度に応じて事前に行うシャッタの開閉動作の開閉動作回数を設定するものである。
【００１０】
また、請求項３では、前記制御部は、事前に行うシャッタの開閉動作の動作時間を計時し、その動作時間が所定時間を越えたシャッタの開閉動作回数を記憶し、その記憶した回数が所定回数以上になったらシャッタエラーと判断して運転を停止するものである。
【発明の効果】
【００１１】
この発明の請求項１によれば、運転開始時に室内が所定温度以下の時、点火動作が開始される前に事前にシャッタの開閉動作を行うので、室温が低くてシャッタモータの起動特性が低下していても、点火動作が開始された時にスムーズにシャッタが閉塞状態から開放状態となり、低温によるシャッタモータの起動特性の低下が原因のシャッタエラーの発生を防止できるものである。
【００１２】
また、請求項２によれば、室温が低いほど事前シャッタ開閉数Ｎを多くするので、点火動作が開始されるまでに何回かシャッタが開閉され、それにより室温が低くとも点火動作が開始された時にスムーズにシャッタが閉塞状態から開放状態となり、低温によるシャッタモータの起動特性の低下が原因のシャッタエラーの発生を防止できるものである。
【００１３】
また、請求項３によれば、事前シャッタ開閉が所定時間以内に行われない状態が２回以上発生した時は点火動作が開始される前にシャッタエラーと判断して運転を停止するので、より安全性を高くすることが出来るものである。
【図面の簡単な説明】
【００１４】
【図１】この発明の一実施形態のシャッタが閉じた状態を示す外観斜視図。
【図２】同シャッタが開いた状態を示す外観斜視図。
【図３】同シャッタ部分の概略斜視図。
【図４】同運転開始時のフローチャート図。
【図５】従来の温風暖房機の略断面図。
【発明を実施するための形態】
【００１５】
次に、本実施形態の作動について図４のフローチャート図に基づいて説明する。
尚、この１実施形態の温風暖房機は、符号１〜１９の構成は前述の従来例と同様である。
まず、制御部１９は、運転スイッチ１６がＯＮ操作されたかを確認し（Ｓ１）、運転スイッチ１６がＯＮ操作されたのを確認すると、次に室温検知手段が検知する室温が所定の温度、本実施例では−５℃以下かを確認し（Ｓ２）、−５℃より高ければ通常の点火動作に進み（Ｓ１６）、−５℃以下であれば次に室温検知手段が検知する室温が所定の温度、本実施例では−１５℃以下かを確認する。（Ｓ３）
【００１６】
そして室温検知手段が検知する室温が−１５℃より高ければ事前シャッタ開閉数Ｎを一回に設定し（Ｓ４）、−１５℃以下であれば事前シャッタ開閉数Ｎを二回に設定する。（Ｓ５）
【００１７】
そして運転スイッチ１６がＯＮ操作されてから所定時間が経過したら（Ｓ６）、制御部１９は事前シャッタ開閉動作を行い、シャッタモータ６に通電を行う。（Ｓ７）
その時、制御部１９はシャッタモータ６に通電を行ってからシャッタ５が所定の位置まで開放されるまでの時間を計時してそれが所定時間内か否かを判断し（Ｓ８）、その時間が所定時間より長い時は開閉不良回数ｎに１を加算し（Ｓ９）、次にその開閉不良回数ｎが２回以上かを確認し（Ｓ１０）、２回未満の時は（Ｓ７）に戻り、２回以上の時はシャッタエラーと判断して運転を停止して（Ｓ１１）、シャッタエラー表示を行うものである。（Ｓ１２）
【００１８】
また、（Ｓ８）でシャッタモータ６に通電を行ってからシャッタ５が所定の位置まで開放されるまでの時間が所定時間内の時は、次に気化器温度が点火温度にまで達したかを確認し（Ｓ１３）、気化器温度が点火温度にまで達していない時は、シャッタ開閉数が設定した事前シャッタ開閉数Ｎに達したかを判断し（Ｓ１４）、事前シャッタ開閉数Ｎに達していない時は（Ｓ７）に戻り、事前シャッタ開閉数Ｎに達している時は事前シャッタ開閉動作を終了して（Ｓ１５）、通常の点火動作に進むものである。（Ｓ１６）
【００１９】
このように、室温が所定の温度以下の時に運転スイッチ１６がＯＮ操作された時、運転スイッチ１６がＯＮ操作されてから点火動作が開始されるまでの間に、シャッタ開閉動作を事前に行うので、室温が低くてシャッタモータ６の起動特性が低下していても、点火動作が開始された時にスムーズにシャッタ５が閉塞状態から開放状態となり、低温によるシャッタモータ６の起動特性の低下が原因のシャッタエラーの発生を防止できるものである。
【００２０】
又、室温が低いほど事前シャッタ開閉数Ｎを多くするので、点火動作が開始されるまでに何回かシャッタ５が開閉され、それにより室温が低くとも点火動作が開始された時にスムーズにシャッタ５が閉塞状態から開放状態となり、低温によるシャッタモータ６の起動特性の低下が原因のシャッタエラーの発生を防止できるものである。
【００２１】
又、事前シャッタ開閉が所定時間以内に行われない状態が２回以上発生した時は点火動作が開始される前にシャッタエラーと判断して運転を停止するので、より安全性を高くすることが出来るものである。
【符号の説明】
【００２２】
１  温風吹出口
２  本体
５  シャッタ
６  シャッタモータ
１０  バーナ
１５  送風ファン
１９  制御部
【図１】
2014081142.tif 000003
【図２】
2014081142.tif 000004
【図３】
2014081142.tif 000005
【図４】
2014081142.tif 000006
【図５】
2014081142.tif 000007